(57)【要約】【課題】通気性を良くし、特に、陰嚢に係る皮膚病の予防および治療に適する男性用下着を提供する。【解決手段】男性用下着の前身頃に通気用の窓を設ける一方、大小色々な開口面積が形成された開口部を有するカバーを用意し、その中から気象状況、着用者の身体状況、好みなどに最も適したカバーを選択し、窓を覆う。そうすることにより、最適の状態で、最も効果的に皮膚病の予防と治療を図ることができる。【選択図】図２
0003149736.tif 000002
【実用新案登録請求の範囲】
【請求項１】
胴体用開口と、
該胴体用開口の反対側に位置する、一対の脚部用開口と、
前記胴体用開口と一対の脚部用開口とにつながり、陰嚢にかかる部分に形成された窓を有する前身頃と、
前記前身頃の窓の一部又は全部を覆い、該前身頃に対して着脱可能に設けられた、複数のカバーとを備え、
前記複数のカバーのそれぞれは開口部を有するとともに、該開口部はカバー毎に開口面積が異なり、
前記複数のカバーのうちから選択された一つが、前記前身頃に装着されて使用される、
ことを特徴とする男性用下着。
【請求項２】
前記複数のカバーのそれぞれの開口部には、同じ目の粗さの網状部材が取付けられていることを特徴とする請求項１に記載の男性用下着。
【請求項３】
前記複数のカバーのそれぞれの開口部には、目の粗さの異なる網状部材が取付けられていることを特徴とする請求項１に記載の男性用下着。
【請求項４】
前記複数のカバーのそれぞれの開口部は、複数の通気孔で構成され、該通気孔の数が前記カバー毎に異なる、ことを特徴とする請求項１に記載の男性用下着。
【請求項５】
前記複数のカバーのそれぞれの開口部は、複数の通気孔で構成され、該通気孔の形状が前記カバー毎に任意に異なる、ことを特徴とする請求項１に記載の男性用下着。
【請求項６】
前記複数のカバーのそれぞれの開口部には、任意の意匠の装飾部材が取付けられている、ことを特徴とする請求項１に記載の男性用下着。
【請求項７】
前記複数のカバー毎に装飾部材の意匠が異なる、ことを特徴とする請求項６に記載の男性用下着。
【請求項８】
前記複数のカバーが袋状である、ことを特徴とする請求項１に記載の男性用下着。
【考案の詳細な説明】
【技術分野】
【０００１】
本考案は、下腹部のうち、特に、陰嚢に係る皮膚病の予防および治療に適した男性用下着に関するものである。
【背景技術】
【０００２】
従来、男性用下着は、その全体がメリヤス織の木綿製とされているものが殆どであり、陰嚢部の通気は特に考慮されていないのが一般的である。そこで、本出願人は、先に、通気性が考慮された男性用下着を提案している（例えば、特許文献１参照。）。
【先行技術文献】
【特許文献】
【０００３】
【特許文献１】特開２００８−１３８３４４号公報
【考案の概要】
【考案が解決しようとする課題】
【０００４】
メリヤス織の木綿は、吸汗には適しているが、空気を比較的通しにくい。このため、メリヤス織の木綿に覆われた陰嚢は、通気が十分になされないため、蒸れてしまう。陰嚢が蒸れると、菌が繁殖することにより皮膚病にかかりやすく、気分も良くない、などという問題があった。
【０００５】
本考案は、上記問題点を解決することを課題としてなされたものであり、その目的とするところは、本出願人が先に提案している上記特許文献１に記載の男性用下着とは異なる方法で、通気性を良くし、特に、陰嚢に係る皮膚病の予防および治療に適する男性用下着を提供することにある。
【課題を解決するための手段】
【０００６】
本考案に係る男性用下着は、胴体用開口と、胴体用開口の反対側に位置する、一対の脚部用開口と、胴体用開口と一対の脚部用開口とにつながり、陰嚢にかかる部分に形成された窓を有する前身頃と、前身頃の窓の一部又は全部を覆い、前身頃に対して着脱可能に設けられた、複数のカバーを備える。複数のカバーのそれぞれは、開口部を有するとともに、開口部はカバー毎に開口面積が異なる。複数のカバーのうちから最適に選択された一つが、前身頃に装着されて使用される。
【０００７】
本考案に係る男性用下着では、着用者の陰嚢は、最適な開口面積で形成されたカバーによって覆われることとなる。開口部は、例えば、メリヤス織の木綿と比較して空気を通しやすい。よって、陰嚢が蒸れることを防止できることが可能となる。これにより、陰嚢に係る皮膚病の予防および治療を図ることができるとともに、睾丸の冷却効果も期待できる。そして、複数のカバーを用意すれば、常に清潔なカバーを前身頃に装着することができる。
【考案の効果】
【０００８】
本考案によれば、通気性を良くし、特に、陰嚢に係る皮膚病の予防および治療に適する男性用下着を提供することができるという効果を奏する。
【図面の簡単な説明】
【０００９】
【図１】本考案の第１実施形態の男性用下着を示す正面図である。
【図２】本考案の第１実施形態の男性用下着において、カバーを外した状態を示す正面図である。
【図３】本考案の第１実施形態の男性用下着で使用されるカバーの諸例の一部を示す正面図である。
【図４】本考案の第２実施形態の男性用下着を示す正面図である。
【図５】本考案の第２実施形態の男性用下着において、カバーを外した状態を示す正面図である。
【図６】図５のＶ−Ｖ線における断面図である。
【図７】本考案の第１実施形態の男性用下着で使用されるカバーの他の例を示す正面図である。
【考案を実施するための形態】
【００１０】
以下、本考案の実施の形態について、添付図面に従って説明する。
【００１１】
図１〜図３、図７は、本考案に係る男性用下着の第１実施形態を示している。本実施形態の男性用下着１Ａは、前身頃２、後身頃３、およびカバー５を備えており、胴体用開口４Ａと１対の脚部用開口４Ｂが形成されている。
【００１２】
前身頃の陰嚢にかかる部分には、通気のための窓２ａ（以下、「窓２ａ」と記す。）が形成されている。この窓２ａの形状は、例えば、長方形のほか、三角形、円形または任意形状の、単数、複数、さらには、それらの形状の併用、混用など自在に選択できる。その他、窓２ａを、孔の集合からなるパンチングメッシュで形成することも可能である。また、その孔の形状も三角形、四角形、円形、菱形、任意形状、それらの形状の併用、混用など自在に選択できる。
【００１３】
胴体用開口４Ａは、着用者の胴体を通すための部分である。一対の脚部用開口４Ｂは、胴体用開口４Ａに対して反対側に開口しており、着用者の脚部を通すための部分である。カバー５は、前身頃２に対して窓２ａを塞ぐように設けられている。着用者が本実施形態の男性用下着１Ａを着用したときには、カバー５が陰嚢にかかる部分となる。そして、カバー５は開口部５ａを含み、カバー５全体が例えば、長方形に形成されている。また、このカバー５は、複数備えられ、カバー５毎に開口面積が異なっている。なお、カバー５の開口部５ａの形状は、上記窓２ａの形状と同様に、長方形のほか、三角形、円形または任意形状の、単数、複数、さらには、それらの形状の併用、混用など自在に選択できる。その他、比較的小さな孔の集合からなるパンチングメッシュで形成された開口部５ａについても、その孔（通気孔）の形状は、三角形、四角形、円形、菱形、任意形状、それらの形状の併用、混用など自在に選択できる。いずれにしても、陰嚢の通気に適したものであればよい。
【００１４】
カバー５は、面ファスナ６によって、前身頃２に対して着脱可能とされている。図２に示すように、面ファスナ６は、前身頃２側に設けられたファスナ６１とカバー５側に設けられたファスナ６２とからなる。カバー５を前身頃２に取り付けるには、ファスナ６２をファスナ６１に対して押し付ける。カバー５を前身頃２から取り外すには、ファスナ６２をファスナ６１から引き剥がす。カバー５を前身頃２に装着するための手段は、面ファスナ６に限定されるものではなく、例えば、ホックまたは嵌め込み、差込、挟み込みなどカバー５を前身頃２に対して着脱可能とするものであればよい。
【００１５】
本実施の形態によれば、カバー５は、着用者の陰嚢にかかることになり、メリヤス織の木綿からなる前身頃２によって覆われることがない。このため、メリヤス織の木綿によって覆われた状態とは異なり、陰嚢に対して空気が適切に通ることとなる。したがって、陰嚢が過度に蒸れてしまうことを回避でき、菌の発生に起因する皮膚病を患うことを予防することも、治療を進めることもできる。
【００１６】
図３（ａ）〜図３（ｆ）は、カバー５のバリエーションを示している。図３（ａ）の紙面に向かって左側は、カバー５の表面積と略等しい長方形の開口部５ａが形成されたカバー５であり、面ファスナ６２の枠部分が前身頃２の窓２ａの一部を遮蔽する。紙面に向かって中央は、カバー５の表面積の約１／２の正方形の開口部５ａが形成されたカバー５であり、開口部５ａを除く部分が前身頃２の窓２ａの約１／２を遮蔽する。紙面に向かって右側は、カバー５の表面積の約１／４の横長長方形の開口部５ａが形成されたカバー５であり、開口部５ａを除く部分が前身頃２の窓２ａの約３／４を遮蔽する。
【００１７】
図３（ｂ）は、上記図３（ａ）のカバー５の開口部５ａに、同じ目の粗さ（空間率）の網状部材が形成されたカバー５をそれぞれ示している。
【００１８】
図３（ｃ）は、上記図３（ａ）のカバー５の開口部５ａに、目の粗さの（空間率）の異なる網状部材が形成されたカバー５をそれぞれ示している。この例では、カバー５の開口部５ａの開口面積が小さくなるに従って網状部材の目の粗さを小さくしている。
【００１９】
図３（ｄ）は、開口部５ａを異なる形状の複数の孔（通気孔）で形成した（所謂、パンチングメッシュ）カバー５を示している。この例では、孔の数、形状をそれぞれ変化させ、開口部５ａの開口面積を異ならせている。
【００２０】
図３（ｅ）は、開口部５ａを同じ形状の複数の孔（通気孔）で形成した（所謂、パンチングメッシュ）カバー５を示している。この例では、開口面積が同一の四角形の孔の数をそれぞれ変化させ、開口部５ａの開口面積を異ならせている。
【００２１】
図３（ｆ）は、カバー５を円形に形成し（この場合、上記前身頃２の窓２ａは円形である。）、該カバー５に同じ形状の複数の孔（通気孔）が形成されたシート状の部材が取付けられているカバー５をそれぞれ示している。この例では、カバー５に開口面積が同一の円形の孔を形成するとともに、孔の数をそれぞれ変化させて該カバー５に形成される開口面積を異ならせている。
【００２２】
また、図７（ａ）〜図７（ｂ）に示すように、カバー５に形成されている網状部材の表面に任意の意匠の装飾部材を取付けてもよい。この例では、カバー５に形成されている網状部材の表面に任意の意匠の装飾部材を取付けているが、これに限らず、カバー５の開口部５ａがパンチングメッシュで形成されている場合も同様である。なお、上記の例のように、カバー５毎に異なる任意の意匠の装飾部材を取付けてもよいし、カバー５毎に同じ任意の装飾部材を取付けることも可能である。これにより、意匠性に優れたカバー５を提供することができる。
【００２３】
このように、前身頃２のファスナ６１に装着可能なファスナ６２が取り付けられた複数のカバー５を予め用意すれば、これらのカバー５を頻繁に交換することが可能である。このため、前身頃２には常に清潔なカバー５を装着することができる。また、開口面積の異なる複数のバリエーションのカバー５を予め用意しているので、その中から季節状況や身体状況、そして、好みに合う最適のカバー５を選択できる。その結果、最も快適に、かつ、効果的に使用することができる。
【００２４】
本実施の形態のカバー５に、いんきんたむしなどの皮膚病の症状を緩和させる薬剤を塗布することもできるので、陰嚢の皮膚病を治療するのに適している。着脱可能であるカバー５は、上記薬剤を塗布しやすいという利点がある。
【００２５】
図４〜図６は、本考案に係る男性用下着の第２実施形態を示している。本実施形態の男性用下着１Ｂは、カバー５の構成が上述した第１実施形態と異なっている。なお、これらの図において、上記実施形態と同一または類似の要素には、上記第１実施形態と同一の符号を付している。
【００２６】
図４に示すように、男性用下着１Ｂの前身頃２の窓２ａは半月状に形成されている。そして、男性用下着１Ｂには、上部に開口端５ａａを有するとともに、円形および三角形の孔（通気孔）が形成された半月状の２枚のケース布５１を互いに重ね合わせて袋状構造のカバー５が、上記窓２ａを覆うように面ファスナ６により取付けられている。なお、窓２ａと、それに対応するカバー５の形状は、上記の半月状の例に限られるものではなく、三角形、四角形、円形、菱形、その他任意形状など、自在に選択可能である。
【００２７】
図５に示すように、カバー５は、２枚のケース布５１を互いに重ね合わせた袋状構造としてあるので、２枚のケース布５１の間に例えば、薬剤を染み込ませたガーゼＭｄを収納することができる。
【００２８】
このような実施形態によっても、前述した実施形態と同様に、陰嚢に対して空気を適切に通気させることにより、皮膚病の予防と治療に効果的である。さらに、薬剤を染みこませたガーゼＭｄをカバー５に収納すれば、カバー５に薬剤を塗布する場合と比較して、より長い時間陰嚢に対して薬剤を作用させることが可能である。したがって、皮膚病に対する治療効果をさらに高めることができる。
【００２９】
今回、開示した実施の形態は例示であってこれに制限されるものではない。本考案は、上記で説明した範囲ではなく、実用新案登録請求の範囲によって示され、実用新案登録請求の範囲と均等の意味および範囲での全ての変更が含まれることが意図される。
【符号の説明】
【００３０】
１Ａ  第１実施形態の男性用下着、１Ｂ  第２実施形態の男性用下着、２  前身頃、２ａ  前身頃に設けられた窓、３、後身頃、４Ａ  胴体用開口、４Ｂ  脚部用開口、５  カバー、５ａ  通気部、５ａａ  第２実施形態の袋状カバーの開口端、５１  第２実施形態の袋状カバーを構成するカバー布、６  面ファスナ、６１  前身頃に設けられた面ファスナ、６２  カバーに設けられた面ファスナ  
【図１】
0003149736.tif 000003
【図２】
0003149736.tif 000004
【図３】
0003149736.tif 000005
【図４】
0003149736.tif 000006
【図５】
0003149736.tif 000007
【図６】
0003149736.tif 000008
【図７】
0003149736.tif 000009